(57)【特許請求の範囲】
【請求項１】
厚みを有する段ボール板紙を折り曲げて形成される上部開口した組立包装箱であって、
矩形状の底板の前後側縁の夫々に折目線を介して連設された第１側板を起立させ、各第１側板の左右側縁の夫々に折目線を介して連設された内側板を第１側板に対して直角に内方に折り曲げ、前記底板の左右側縁の夫々に折目線を介して連設された第２側板を起立させて前記内側板の外側に重合させ、各第２側板の先端縁に折目線を介して連設された折返し板を内方に折返して前記内側板の内側に重合させることにより、第２側板と折返し板とにより内側板を挟持して組立状態を維持する組立包装箱において、
内側板はその厚み方向に貫通する穴部を備え、
折返し板はその厚み方向に揺動可能であり且つ穴部より僅かに大きい形状の係合片を備え、
折返し板を内側板の内側に重合させた後に、係合片を厚み方向に押圧揺動させ、第２側板により外側が閉塞された状態の穴部に該係合片を内側板と同一平面を形成するように圧入することにより内側板内に収容された係合片の外側縁を穴部の内側縁に摩擦係合させて折返し板の折返し状態を維持することを特徴とする組立包装箱。
【請求項２】
前記係合片は、前記折返し板の先端縁から内方に向かって次第に間隔が小となる一対の傾斜する切れ目により折返し板から遊離自在に形成されており、
前記穴部は、該係合片に対応する位置において台形状に切り抜かれて形成されていることを特徴とする請求項１記載の組立包装箱。
【発明の詳細な説明】
【技術分野】
【０００１】
本発明は、厚みを有する段ボール板紙を折り曲げて形成される上部開口した組立包装箱に関する。
【背景技術】
【０００２】
従来、矩形状に底板の周縁に起立する側板を備えて上部が開口状態で組立形状となる段ボール製の包装箱が知られている。この種の包装箱は、底板の前後側縁に折目線を介して第１側板が連設され、底板の左右側縁に折目線を介して第２側板が連設されている。第１側板の左右側縁には折目線を介して内側板が連設されている。また、第２側板の先端縁には折目線を介して折返し板が連設されている。そして、組立包装箱を組み立てるときには、先ず、各第１側板を起立させ、内側板を第１側板に対して直角に内方に折り曲げる。次いで、第２側板を起立させて内側板の外側に重合させる。続いて、折返し板を内方に折返して内側板の内側に重合させる。これにより、内側板が第２側板と折返し板とに挟持され、包装箱が組立状態となる。
【０００３】
ところで、折返し板を折り返して内側板の内側に重合させただけでは、第２側板と折返し板との間に内側板を挟持した状態を確実に維持することができない。そこで、折返し板の先端部に突片を連設すると共に、内側板の突片の対応する位置に、突片が挿通可能なスリットを形成したものが知られている（例えば、特許文献１参照）。これによれば、折返し板を折り返すときに、折返し板の突片を内側板のスリットに挿入する。これにより、折返し板の突片を内側板の外側に平坦に差し込まれ、折返し板の外れが防止されるので、第２側板と折返し板との間への内側板の挟持状態を維持することができる。
【０００４】
しかし、折返し板の突片を内側板のスリットに挿入するときには、折り曲げ途中の状態で、折目線と折返し板の間を湾曲させつつ、内側板の面方向に差し込まなければならない。このとき、包装箱を形成する段ボール板紙は、曲げこわさが比較的大であるため折返し板を湾曲形状に曲げることが困難であり、スリットに突片を円滑に挿入することができない。或いは、折返し板を湾曲形状に曲げようとしたとき、折返し板の不要な箇所に折り目が付いて外観を損ねたり、このとき付けられた不要な折り目によって、突片がスリットに対して抜け方向にに浮き上がり、突片のスリットへの係止状態が不十分になるおそれがある。
【特許文献１】実登第３０１２５９４号公報
【発明の開示】
【発明が解決しようとする課題】
【０００５】
かかる不都合を解消して、本発明は、組立容易であってしかも組立状態を確実に維持することができる組立包装箱を提供することを目的とする。
【課題を解決するための手段】
【０００６】
かかる目的を達成するために、本発明は、厚みを有する段ボール板紙を折り曲げて形成される上部開口した組立包装箱であって、矩形状の底板の前後側縁の夫々に折目線を介して連設された第１側板を起立させ、各第１側板の左右側縁の夫々に折目線を介して連設された内側板を第１側板に対して直角に内方に折り曲げ、前記底板の左右側縁の夫々に折目線を介して連設された第２側板を起立させて前記内側板の外側に重合させ、各第２側板の先端縁に折目線を介して連設された折返し板を内方に折返して前記内側板の内側に重合させることにより、第２側板と折返し板とにより内側板を挟持して組立状態を維持する組立包装箱において、内側板はその厚み方向に貫通する穴部を備え、折返し板はその厚み方向に揺動可能であり且つ穴部より僅かに大きい形状の係合片を備え、折返し板を内側板の内側に重合させた後に、係合片を厚み方向に押圧揺動させ、第２側板により外側が閉塞された状態の穴部に該係合片を内側板と同一平面を形成するように圧入することにより内側板内に収容された係合片の外側縁を穴部の内側縁に摩擦係合させて折返し板の折返し状態を維持することを特徴とする。
【０００７】
本発明によれば、先ず、第１側板を起立させて各内側板を内方に折り曲げ、次いで、第２側板を起立させて内側板の外側に重合させた後、折返し板を内側板の内側に重合させる。そして、内側板の内側に重合させた折返し板の係合片を、内側板に形成されている穴部に厚み方向に押し込むようにして圧入する。このように、本発明の組立包装箱は簡単に組み立てることができる。しかも、折返し板の係合片が内側板の穴部に圧入されて係合されるので、折返し板の折返し状態を確実に維持することができる。即ち、折返し板の係合片は穴部より僅かに大きい形状とされていることによって、穴部に圧入されるときには穴部の形状に合わせて係合片が僅かに変形して段ボールが有する復元力を生じる。これにより、穴部に収容された係合片の外周縁が穴部の内周縁に向かって弾発的に圧接する。そして、このときの摩擦係合により、係合片は穴部から外れることなく相互の係止状態が維持される。
【０００８】
また、折返し板の係合片を内側板の穴部に圧入するときには、係合片を厚み方向に押圧揺動させるだけでよいので、折返し板を湾曲させる等の作業が不要であり、折返し板を損傷させることなく組立作業を迅速に行うことができる。
【０００９】
更に、穴部の深さ（内側板の厚み）と係合片の厚みとは等しいので、穴部に係合された係合片は穴部に平坦に収容される。これにより、係合片が包装箱の外側や内側に突出しないので、包装箱の外観を損ねることがなく、また、包装箱への被包装物の出し入れ際に係合片が邪魔になることもない。
【００１０】
また、本発明における一態様として、前記係合片は、前記折返し板の先端縁から内方に向かって次第に間隔が小となる一対の傾斜する切れ目により折返し板から遊離自在に形成されており、前記穴部は、該係合片に対応する位置において台形状に切り抜かれて形成されていることを特徴とする。
【００１１】
前記係合片は、一対の傾斜する切れ目により折返し板から台形状に遊離する。このとき、係合片は上縁（台形の上底）が折返し板に連設された状態となる。一方、前記穴部も台形状に切り抜き形成されている。これによって、係合片が圧入係合された状態で、折返し板に上方に向かう力が付与されると、係合片が穴部の上方の幅狭となる方向に摺接し、穴部への係合片の係合状態を一層強固とすることができる。なお、折返し板に上方に向かう力が付与される状態は、例えば、第２側板側から包装箱内に貫通する把持穴が開口され、折り返された折返し板の下縁が把持穴の上縁に位置している場合や、把持穴が折返し板を貫通して形成されている場合に、把持穴を介して包装箱を持ち上げる際に生じる。従って、第２側板側に把持穴を設けて包装箱を持ち上げた状態でも、穴部への係合片の係合状態を確実に維持することができ、折返し板の折返し状態を確実に維持することができる。
【発明を実施するための最良の形態】
【００１２】
本発明の一実施形態を図面に基づいて説明する。図１は本実施形態の組立包装箱を示す説明的斜視図、図２は図１の展開図、図３は組立工程を示す説明図、図４は要部の拡大説明図、図５は要部の説明的断面図である。
【００１３】
本実施形態の組立包装箱１は、図１に示すように、上部が開口状態で略直方体形状に形成されており、図示しないが、野菜等の収納物を収納して運搬等を行うものである。包装箱１は、図２に示すように、大略矩形状に打ち抜いた段ボール板紙２によって形成されている。段ボール板紙２の略中央部には略矩形状の底板３が形成されている。底板３の前後側縁には、夫々折目線ａを介して一対の第１側板４が連設されている。底板３の左右側縁には、夫々折目線ｂを介して一対の第２側板５が連設されている。また、各第１側板４の左右側縁には、夫々折目線ｃを介して一対の内側板６が連設されている。更に、各第２側板５の先端縁には、略段ボール一枚分の厚さの間隔で並設された一対の折目線ｄを介して折返し板７が連設されている。
【００１４】
第２側板５には大略楕円形状の把持穴８が形成されている。把持穴８は、図１に示す組立状態の包装箱１を持ち上げる際に、作業者が手を差し込んで把持するものである。更に、図２に示すように、各内側板６には把持穴８に夫々が半分ずつ合致する切欠き９が形成されている。各内側板６の切欠き９は、図１に示すように包装箱１が組み立てられたとき、把持穴８に連通する。
【００１５】
また、図２に示すように、各内側板６には台形状の穴部１０が形成されている。穴部１０は、各内側板６の両側縁（一方は折目線ｃ）の間に位置し、厚み方向に切り抜いて形成されている。そして、各折返し板７には、その先端縁から内方の略中央部にかけて延びる一対の切れ目１１ａ，１１ｂにより遊離自在とされた、一対の係合片１２が形成されている。各係合片１２は、厚み方向に揺動して折返し板７から遊離する。係合片１２を形成する一対の切れ目１１ａ，１１ｂは折返し板７の先端縁から内方に向かって次第に間隔が小となるように配設されている。これにより、遊離状態の係合片１２は台形状となる。なお、後述するように、係合片１２は穴部１０よりも僅かに大きい形状に形成される。図４（ａ）を参照すれば、係合片１２の下外端縁（台形の下底）の幅寸法ｅは、穴部１０の下内端縁の幅寸法ｆより大きく形成されている。
【００１６】
以上のように構成された図２に示す段ボール板紙２は、次のようにして組み立てることによって図１に示す包装箱１となる。図３（ａ）に示すように、先ず、両第１側板４を底板３に対して直角となるように折目線ａに沿って上方に折り曲げ起立させる。次いで、各内側板６を第１側板４に対して直角となるように折目線ｃに沿って内方に折り曲げる。
【００１７】
続いて、図３（ｂ）に示すように、両第２側板５を底板３に対して直角となるように折目線ｂに沿って上方に折り曲げ起立させる。このとき、第２側板５を各内側板６の外側に重合させる。そして、各折返し板７を折目線に沿って内側に折り返し、各内側板６の内側に重合させる。
【００１８】
内側板６の内側に重合された状態の折返し板７は、図４（ａ）及び図５（ａ）に示すように、係合片１２が内側板６の穴部１０に対応して位置される。ここで、図４（ｂ）及び図５（ｂ）に示すように、係合片１２を穴部１０に向かって圧入する。これによって、係合片１２が穴部１０に収容されるようにして係合される。このとき、図４（ａ）に示すように、係合片１２の下外端縁（台形の下底）の幅寸法ｅは、穴部１０の下内端縁の幅寸法ｆより大きく形成されているので、図４（ｂ）に示すように、穴部１０に圧入された係合片１２は少し変形して復元弾性を有し、係合片１２の両側端縁が穴部１０の内側端縁に圧接状態となる。これによって、穴部１０と係合片１２との係合状態が確実に維持され、図１に示すように、組立形状が確実に維持された包装箱１を形成することができる。
【００１９】
また、折り返された折返し板７は、その下端縁が、図１に示すように、把持穴８の上縁近くに位置される。そして、包装箱１の内部に野菜等の収納物が収納された状態で、把持穴８を把持して包装箱１が持ち上げられた際には、包装箱１の荷重の一部が折返し板７に伝達されることが考えられる。そこで、本実施形態においては、内側板６の穴部１０と折返し板７の係合片１２とを共に台形状として互いに係合させている。これにより、包装箱１の荷重の一部が折返し板７に伝達されて、折返し板７に対して上方の力が付与されても、互いに幅狭となるように傾斜する台形状の穴部１０と係合片１２との噛み合いが深まり、一層強固な係合状態とすることができる。
【００２０】
尚、本実施形態の包装箱１では、穴部１０及び係合片１２が台形状であるものを示したが、穴部１０及び係合片１２の形状は、これに限るものではない。また、本実施形態の包装箱１では、図２に示すように、折返し板７に一対の切れ目１１ａ，１１ｂを設けることにより揺動して折返し板７から遊離する係合片１２を形成したが、それ以外に、図示しないが、折返し板７の先端縁に突出する係合片を連設してもよく、或いは、折返し板７にコ字形の切れ目を設けて遊離自在の係合片を形成してもよい。
【図面の簡単な説明】
【００２１】
【図１】本発明の一実施形態の組立包装箱を示す説明的斜視図。
【図２】図１の組立包装箱の展開図。
【図３】組立工程を示す説明図。
【図４】要部の拡大説明図。
【図５】要部の説明的断面図。
【符号の説明】
【００２２】
１…組立包装箱、２…段ボール板紙、３…底板、４…第１側板、５…第２側板、６…内側板、７…折返し板、１０…穴部、１１ａ，１１ｂ…切れ目、１２…係合片。
【図１】
0004763382.tif 000002
【図２】
0004763382.tif 000003
【図３】
0004763382.tif 000004
【図４】
0004763382.tif 000005
【図５】
0004763382.tif 000006